(57)【要約】ＴＤＤ ＣＤＭＡシステムにおいて２つのユーザ装置の間のＰ２Ｐ通信をサポートする方法である。該方法は、ユーザ装置により実行されるものであって、ネットワークシステムからダウンリンク制御チャンネルを介して伝送される信号を受信するステップと、前記受信された信号に基づいてタイムスロット割当情報及び前記ユーザ装置により使用されるダイレクトリンクに関連付けられた特定のダウンリンクタイムスロットに割り当てられた他の活動ユーザ装置の拡散コード割当情報を獲得するステップと、前記獲得されたタイムスロット割当情報及び拡散コード割当情報に基づいて前記ユーザ装置により受信されるＰ２Ｐ通信信号とネットワークシステムからの信号を同期させ、これによりＰ２Ｐ通信過程の間においてネットワークシステムから他のユーザ装置に送信されるダウンリンク信号により発生される干渉を低減するステップとを有する。
2006523408.tif 000002
【特許請求の範囲】
【請求項１】
ユーザ装置により実行される、ＴＤＤ ＣＤＭＡシステムにおいて２つのユーザ装置の間のピアツーピア（Ｐ２Ｐ）通信をサポートする方法において、
ネットワークシステムによりダウンリンク制御チャンネルを介して伝送される信号を受信するステップと、
前記受信された信号に基づいてタイムスロット割当情報を獲得するステップと、
前記受信された信号に基づいて、前記ユーザ装置により使用されるダイレクトリンクに関連付けられた特定のダウンリンクタイムスロットに割り当てられた他の活動ユーザ装置の拡散コード割当情報を獲得するステップと、
前記獲得されたタイムスロット割当情報及び拡散コード割当情報に基づいて、Ｐ２Ｐ通信の間において前記他のユーザ装置に対しネットワークシステムからダウンリンクを介して伝送される信号により発生される干渉を低減するステップと、
を有することを特徴とする通信方法。
【請求項２】
請求項１に記載の通信方法において、前記拡散コード割当情報は、少なくとも前記ダウンリンクタイムスロットにおいて他のユーザ装置により使用されている拡散コード情報を含むことを特徴とする通信方法。
【請求項３】
請求項１又は請求項２に記載の通信方法において、前記干渉を低減するステップは、マルチユーザ検出（ＭＵＤ）方法及びジョイント検出（ＪＤ）方法の少なくとも一方を実行するステップを含んでいることを特徴とする通信方法。
【請求項４】
請求項３に記載の通信方法において、前記マルチユーザ検出（ＭＵＤ）方法及びジョイント検出（ＪＤ）方法の少なくとも一方は、干渉を低減するために前記ダウンリンクタイムスロットにおいて他のユーザ装置により使用されている前記拡散コード情報を利用することを特徴とする通信方法。
【請求項５】
請求項４に記載の通信方法において、
セルサーチフェーズにおいてネットワークシステムとのダウンリンク同期を確立し、パイロットチャンネルを追跡することによりネットワークシステムとのダウンリンク同期を維持するステップ、
を更に有し、前記ダウンリンクタイムスロットにおいて、前記ユーザ装置が前記ダイレクトリンクを介して信号を送信する場合、前記ユーザ装置によりとられるステップが、
（ｉ）前記ダイレクトリンクを確立する間において、前記ダウンリンクタイムスロットにおいて前記他のユーザ装置へ信号を送信する時点を、ネットワークシステムによる送信信号の受信時点に基づいて設定するステップと、
（ii）前記ダウンリンクタイムスロットにおいて前記他のユーザ装置に対して前記設定された時点でテスト信号を送信するステップと、
（iii）前記他のユーザ装置から帰還信号を受信するステップであって、該帰還信号は前記他のユーザ装置が前記テスト信号を受信した後に前記他のユーザ装置において前記他のユーザ装置が前記テスト信号を受信した時点と前記ネットワークシステムが信号を送信した際の受信時点とを比較することにより得られる時間差であるようなステップと、
（iv）前記帰還信号に基づいて、前記他のユーザ装置に信号を送信するための時間進みを設定するステップと、
（ｖ）前記時間進みに基づいて前記ユーザ装置が前記他のユーザ装置に信号を送信する時点を調整し、これにより前記他のユーザ装置により受信されるネットワークシステムからのダウンリンクの信号が前記ユーザ装置からの前記ダイレクトリンクの信号と同期されるようにするステップと、
を有することを特徴とする通信方法。
【請求項６】
請求項５に記載の通信方法において、
（iv）Ｐ２Ｐ通信信号を前記他のユーザ装置に前記調整された送信する時点で送信するステップと、
（vii）前記他のユーザ装置から同期ズレ情報を受信するステップであって、該同期ズレ情報が前記他のユーザ装置において前記Ｐ２Ｐ通信を受信した後に該受信されたＰ２Ｐ通信信号に基づいて推定された同期偏差であるようなステップと、
（viii）前記同期ズレ情報に基づいて、前記他のユーザ装置に信号を送信するための前記時間進みを調整するステップと、
を更に含むことを特徴とする通信方法。
【請求項７】
請求項５又は請求項６に記載の通信方法において、
Ｐ２Ｐ通信手順の間に前記ユーザ装置が前記他のユーザ装置に信号を送信する時点を前記他のユーザ装置からの同期ズレ情報に基づいて調整し、これにより前記ユーザ装置により送信されたＰ２Ｐ通信信号及びネットワークシステムにより送信されたダウンリンク信号が前記他のユーザ装置に同時に到達することができるようにするステップ、
を更に含むことを特徴とする通信方法。
【請求項８】
請求項５、６又は７に記載の通信方法において、前記ユーザ装置が前記ダウンリンクタイムスロットにおいて前記ダイレクトリンクを介して信号を受信する場合、とられるべきステップが、
（ａ）前記ダイレクトリンクを確立する過程の間において前記他のユーザ装置により送信されたテスト信号を受信する場合に、前記他のユーザ装置から送信された前記テスト信号を受信する時点とネットワークシステムから送信された信号を受信する時点との間の時間差を計算し、該計算された時間差を帰還信号として前記他のユーザ装置に送信するステップ、
を含むことを特徴とする通信方法。
【請求項９】
請求項８に記載の通信方法において、前記ユーザ装置が前記ダウンリンクタイムスロットにおいて前記ダイレクトリンクを介して信号を受信する場合、とられるべきステップが、
（ｂ）前記ダイレクトリンクを確立する過程の間において、前記ユーザ装置が前記他のユーザ装置により送信されたＰ２Ｐ通信信号を受信した場合に該受信されたＰ２Ｐ通信信号に基づいて前記他のユーザ装置の同期ズレ情報を推定すると共に、該推定された同期ズレ情報を前記他のユーザ装置に送信するステップ、
を更に含むことを特徴とする通信方法。
【請求項１０】
請求項８又は請求項９に記載の通信方法において、
Ｐ２Ｐ通信の過程の間において、前記他のユーザ装置から受信されたＰ２Ｐ通信信号に基づいて該他のユーザ装置の同期ズレ情報を計算すると共に、該同期ズレ情報を前記他のユーザ装置に送信するステップ、
を更に含むことを特徴とする通信方法。
【請求項１１】
ＴＤＤ ＣＤＭＡシステムにおいて２つのユーザ装置の間のＰ２Ｐ通信をサポートする通信方法において、ネットワークシステムにより実行されるステップが、
Ｐ２Ｐ通信を行う２つのユーザ装置にダウンリンク制御チャンネルを介してタイムスロット割当情報を送信するステップと、
前記タイムスロット割当情報の各ダウンリンクタイムスロットに対応する拡散コード割当情報を発生するステップと、
ダウンリンク制御チャンネルを介して前記２つのユーザ装置に前記拡散コード割当情報を各々送信し、前記２つのユーザ装置の各々により受信されるＰ２Ｐ通信信号をネットワークシステムからの信号と同期させるステップと、
を有することを特徴とする通信方法。
【請求項１２】
請求項１１に記載の通信方法において、前記拡散コード割当情報が少なくとも前記ダウンリンクタイムスロットにおいて他のユーザ装置により使用されている拡散コード情報を含むことを特徴とする通信方法。
【請求項１３】
ＴＤＤ ＣＤＭＡシステムにおいてピアツーピア（Ｐ２Ｐ）通信をサポートするユーザ装置であって、
無線信号を送信及び受信する信号送受信器と、
ダウンリンク制御チャンネルを介して伝送される情報に基づいて、タイムスロット割当情報を獲得するタイムスロット割当情報獲得手段と、
前記ダウンリンク制御チャンネルを介して伝送される情報に基づいて、前記ユーザ装置が該ユーザ装置と他のユーザ装置との間のダイレクトリンクを介して信号を受信する際に使用される特定のダウンリンクタイムスロットにおける他の活動ユーザ装置の拡散コード割当情報を獲得する拡散コード割当情報獲得手段と、
Ｐ２Ｐ通信の間に前記他のユーザ装置にネットワークシステムから送信されるダウンリンク信号により発生される干渉を、前記獲得されたタイムスロット割当情報及び拡散コード割当情報に基づいて低減する干渉低減手段と、
を有することを特徴とするユーザ装置。
【請求項１４】
請求項１３に記載のユーザ装置において、前記拡散コード割当情報は、少なくとも前記ダウンリンクタイムスロットにおいて他のユーザ装置により使用されている拡散コード情報を含むことを特徴とするユーザ装置。
【請求項１５】
請求項１３又は請求項１４に記載のユーザ装置において、前記干渉低減手段は、干渉を低減するためにマルチユーザ検出（ＭＵＤ）方法及びジョイント検出（ＪＤ）方法の少なくとも一方を実行することを特徴とするユーザ装置。
【請求項１６】
請求項１５に記載のユーザ装置において、前記マルチユーザ検出（ＭＵＤ）方法及びジョイント検出（ＪＤ）方法の少なくとも一方は、前記ダウンリンクタイムスロットにおいて他のユーザ装置により使用されている前記拡散コード情報を使用することにより干渉を低減することを特徴とするユーザ装置。
【請求項１７】
請求項１６に記載のユーザ装置において、
セルサーチフェーズにおいてネットワークシステムとのダウンリンク同期を確立し、パイロットチャンネルを追跡することにより前記ネットワークシステムとのダウンリンク同期を維持する同期手段と、
前記ダイレクトリンクを確立する過程において、前記ダウンリンクタイムスロットにおいて前記他のユーザ装置へ信号を送信する時点を、前記ネットワークシステムからの送信信号の受信時点に基づいて設定する送信時点設定手段と、
前記ダウンリンクタイムスロットにおいて前記他のユーザ装置に対して前記設定された時点でテスト信号を送信するテスト信号送信手段と、
前記他のユーザ装置から帰還信号を受信する帰還信号受信手段であって、該帰還信号は前記他のユーザ装置が前記テスト信号を受信した後に前記他のユーザ装置において前記テスト信号を受信した時点と前記ネットワークシステムからの送信信号を受信した時点とを比較することにより得られる時間差であるような帰還信号受信手段と、
前記他のユーザ装置に信号を送信するための時間進みを設定する時間進み設定手段と、
前記時間進みに基づいて前記ユーザ装置が前記他のユーザ装置に信号を送信する送信時点を調整し、これにより前記他のユーザ装置により受信されるネットワークシステムからダウンリンクを介して伝送される信号が前記ユーザ装置から前記ダイレクトリンクを介して伝送される信号と同期されるようにする送信時点調整手段と、
を更に含むことを特徴とするユーザ装置。
【請求項１８】
請求項１７に記載のユーザ装置において、
前記他のユーザ装置から同期ズレ情報を受信する同期ズレ情報受信手段であって、該同期ズレ情報は前記他のユーザ装置によりＰ２Ｐ通信信号を受信した後に該受信されたＰ２Ｐ通信信号に基づいて推定された同期偏差であるような同期ズレ情報受信手段と、
前記同期ズレ情報に基づいて、前記他のユーザ装置に信号を送信するための時間進みを調整する同期ズレ情報に基づく送信時点調整手段と、
を更に含むことを特徴とするユーザ装置。
【請求項１９】
請求項１７又は請求項１８に記載のユーザ装置において、
前記ダイレクトリンクを確立する過程の間において、前記他のユーザ装置により送信されたテスト信号を受信した際に、該テスト信号を受信した時点とネットワークシステムから送信された信号を受信した時点との間の差を計算すると共に、該計算された差を前記他のユーザ装置に帰還信号として送信する帰還信号発生手段、
を更に含むことを特徴とするユーザ装置。
【請求項２０】
請求項１９に記載のユーザ装置において、
当該ユーザ装置が前記他のユーザ装置により送信されたＰ２Ｐ通信信号を受信した際に、前記他のユーザ装置の同期ズレ情報を該Ｐ２Ｐ通信信号に基づいて推定すると共に、該推定された同期ズレ情報を前記他のユーザ装置に送信する同期ズレ情報発生手段、
を更に含むことを特徴とするユーザ装置。
【請求項２１】
ＴＤＤ ＣＤＭＡシステムにおいて２つのユーザ装置の間のＰ２Ｐ通信をサポートするネットワークシステムであって、
ダウンリンク制御チャンネルを介して前記２つのユーザ装置にタイムスロット割当情報を送信するタイムスロット割当情報送信手段と、
前記タイムスロット割当情報における各ダウンリンクタイムスロットに対応する拡散コード割当情報を発生する拡散コード割当情報発生手段と、
ダウンリンク制御チャンネルを介して前記２つのユーザ装置に前記拡散コード割当情報を各々送信し、これにより前記２つのユーザ装置の各々により受信されるＰ２Ｐ通信信号を前記ネットワークシステムからの信号と同期させるようにする拡散コード割当情報送信手段と、
を有することを特徴とするネットワークシステム。
【請求項２２】
請求項２１に記載のネットワークシステムにおいて、前記拡散コード割当情報は、少なくとも前記ダウンリンクタイムスロットにおいて他のユーザ装置により使用されている拡散コード情報を含むことを特徴とするネットワークシステム。
【発明の詳細な説明】
【技術分野】
【０００１】
本発明は、ＴＤＤ ＣＤＭＡ（時分割デュープレックス符号分割多重アクセス）通信システムにおいてＰ２Ｐ通信をサポートする方法及び装置に係り、更に詳細にはＴＤＤ
ＣＤＭＡ通信システムにおけるＰ２Ｐ通信過程の間においてＵＥ（ユーザ装置）に対し通常の通信信号により発生される干渉を減少させる方法及び装置に関する。
【背景技術】
【０００２】
通常のセルラ移動体通信システムにおいては、ＵＥ（ユーザ装置）は他のＵＥと、これら２つのＵＥが互いに非常に近い場合でも、基地局の中継を介してのみ通信しなければならない。図１は、従来の通信モードを図示している。しかしながら、同一のセルに位置する２つのＵＥの間の距離が非常に近いような幾つかの場合においては、基地局の中継を経るよりも、直接通信する方が、斯かるＵＥにとり一層合理的な方法であり得る。この方法は、所謂ピアツーピア通信であり、Ｐ２Ｐと略称される。
【０００３】
図２は、２つのＵＥ間のＰ２Ｐ通信を図示している。図２を参照して、２つのＵＥは同一のセル内に位置し、これらＵＥ間の距離はＰ２Ｐ接続を確立するための要件を満足し、点線はＰ２Ｐ通信の間におけるＵＴＲＡＮとＵＥとの間の通知（signaling）リンクを表し、実線は２つのＵＥの間のデータリンクを表し、矢印は情報の流れの方向を表していると仮定する。該図からは、ＵＴＲＡＮとＵＥとの間には通知リンクのみが存在する一方、２つの通信中のＵＥの間にはデータリンクのみが存在することが明らかに分かる。管理のための追加の信号オーバーヘッドが無視されるならば、Ｐ２Ｐ通信はダイレクトリンク処理の間において約５０％の無線資源を節約することができる。更に、ＵＴＲＡＮとＵＥとの間には制御チャンネルが確保されるので、無線ネットワーク運用者はＵＥがどの様に無線資源を利用するかに対して基地局を介して依然として制御を保持する。
【０００４】
時分割デュープレックス（ＴＤＤ）無線インターフェースは、異なるアップリンク及びダウンリンクトラフィック要件に対する一層柔軟性のある適応化を提供する通信規格であるとして一般に受け入れられている。ＴＤＤ通信モードに基づく既存の３Ｇシステムの間で、ＴＤ−ＳＣＤＭＡ（時分割同期コード分割多重アクセス）システムは、Ｐ２Ｐ通信と通常の通信モードとの組合せにとり最も適したシステムである。何故なら、同一の搬送周波数がアップリンク通信及びダウンリンク通信の両者に適用され、これが移動体端末のＲＦ（無線周波数）モジュールを簡素化させることができるからである。
【０００５】
Ｐ２Ｐ通信モードを利用することが可能なＴＤ−ＳＣＤＭＡシステムにおいては、２つの他の動作モード（従来のＴＤ−ＳＣＤＭＡシステムにおいて規定されたＩＤＬＥモード及びＣＯＮＮＥＣＴモード）とは別に、２つのＵＥ間のダイレクト通信を記述するためにＤＩＲＥＣＴ（ダイレクト）モードが導入される。ダイレクトモードにおける通信リンクは、一方のＵＥが他方のＵＥに信号を送信する又は他方のＵＥから信号を受信するための情報の流れの方向に従って識別されるようなＦＯＷＡＲＤ（順方向）リンク（例えば、ＵＥ１からＵＥ２へのリンク）及びＢＡＣＫＷＡＲＤ（逆方向）リンク（例えば、ＵＥ２からＵＥ１へのリンク）として定義することができる。Ｐ２Ｐ通信モードは既存のＴＤ−ＳＣＤＭＡシステムとの組合せで構成されるので、ＵＴＲＡＮ、Ｐ２ＰのＵＥ及び同じタイムスロットに割り当てられた他の通常のＵＥは、順方向リンク又は逆方向リンク上で伝送される情報を傍聴することができる。即ち、ＵＴＲＡＮから見ると、ＵＥがＵＴＲＡＮと接続を有していなくても、順方向リンク及び逆方向リンクは或るアップリンクタイムスロット又はダウンリンクスロットに関連付けられていることになる（順方向リンク及び逆方向リンクは、異なる資源割り当て方法に依存して異なるアップリンクタイムスロット又はダウンリンクタイムスロットに対応し得る）。従って、Ｐ２Ｐ通信は通常の通信に対して信号干渉（妨害）を生じる。同様に、２つのＰ２ＰのＵＥも、Ｐ２Ｐ通信の間において自身の順方向リンク又は逆方向リンクと関連するアップリンクタイムスロット又はダウンリンクタイムスロットにおいて伝送される情報を傍聴することができる。従って、通常のリンクがＰ２Ｐリンクと同じタイムスロットを共有する場合、通常のアップリンク又はダウンリンク通信はＰ２Ｐの順方向リンク又は逆方向リンクの通信と干渉し、これはＰ２Ｐ可能型ＴＤＤ
ＣＤＭＡ通信システムの性能を重大に悪化させる。
【０００６】
Ｐ２Ｐ可能型ＴＤＤ ＣＤＭＡ通信システムの性能を改善するためには、Ｐ２Ｐ通信モードによりＴＤ−ＳＣＤＭＡ通信システムに対して発生される上記信号干渉を効果的に低減することが必要である。
【０００７】
先ず、Ｐ２Ｐ通信モードを導入することによりもたらされる干渉信号を以下に解析し、次いで干渉信号を如何に低減するかを説明する。以下においては簡略化のために、一方のＵＥが他方のＵＥに上記順方向リンク又は逆方向リンクを介して信号を送信するタイムスロットを送信タイムスロット（Ｔｘタイムスロット）と呼ぶ一方、当該ＵＥが上記他方のＵＥから上記順方向リンク又は逆方向リンクを介して信号を受信するタイムスロットを受信タイムスロット（Ｒｘタイムスロット）と呼ぶ。この場合、Ｔｘタイムスロット又はＲｘタイムスロットは、通常の通信のサブフレームにおけるアップリンクタイムスロット又はダウンリンクタイムスロットに各々関連付けられる。
【０００８】
１．Ｐ２Ｐリンクと通常のリンクとの間におけるアップリンクタイムスロットに関連する干渉
図３は、Ｐ２Ｐ可能型ＴＤ−ＳＣＤＭＡシステムにおけるＰ２Ｐリンクがアップリンクタイムスロットに関連付けられた場合のＰ２Ｐリンクと通常のリンクとの間の干渉を示している。図３に示されるように、ＵＥ１及びＵＥ２はＰ２Ｐモードで動作する一方、ＵＥ３は通常のモードで動作し、ＵＥ１のＴｘタイムスロットはＵＥ３のアップリンクタイムスロットに関連付けられている（即ち、ＵＥ１及びＵＥ３が、ＵＥ２及びＵＴＲＡＮに対して各々信号を送信するために、同一のアップリンクタイムスロットに割り当てられている）と仮定する。Ｓ１はＵＥ１からＵＥ２へのダイレクトリンク（順方向リンクとされる）を介しての情報であり、Ｓ２はＵＥ３からＵＴＲＡＮへのアップリンクを介してのアップリンク情報である。更に、Ｓ１及びＳ２は、同一のアップリンクタイムスロットではあるが、異なる拡散コードに関連付けられている。
【０００９】
ＴＤ−ＳＣＤＭＡ通信システムにおいて、最も重要なフィーチャの１つはアップリンクの同期を維持することであり、これは、異なるＵＥの主経路からの信号の拡散コードの直交性を保証するために、異なるＵＥからの信号がＵＴＲＡＮに同時に到達しなければならないことを意味する。
【００１０】
通常の通信システムの場合、ＵＴＲＡＮはＣＯＮＮＥＣＴモードにおける固有のトラフィックバースト構造を介してＵＥのアップリンク送信タイミングを監視及び制御し、各ＵＥに対するアップリンク同期を維持する。しかしながら、Ｐ２Ｐ通信モードに関しては、ＵＴＲＡＮはＰ２Ｐリンクの確立手順にしか関わらず、Ｐ２Ｐリンクの確立の後のＰ２Ｐ通信手順には関わらない。従って、Ｐ２Ｐ通信の間においては、ＵＴＲＡＮと当該２つのＵＥとの間には専用のチャンネルは存在しない。かくして、ＵＴＲＡＮは、２つのＰ２ＰのＵＥのアップリンク同期ズレを傍聴及び推定することができるとしても、斯かる２つのＰ２ＰのＵＥが信号を送信するためのアップリンク同期の進みを固有のトラフィックバーストを用いることにより調整してアップリンク同期を維持することはできない。
【００１１】
図３を参照して、ＵＥ１及びＵＥ３が同じアップリンクタイムスロットで信号を送信した場合、ＵＴＲＡＮはＵＥ１からＵＥ２へ伝送される情報Ｓ１を傍聴することができる（ＵＴＲＡＮにとり、Ｓ１は干渉信号Ｉ１と考えられる）。しかしながら、前述したように、ＵＴＲＡＮとＵＥ１との間には専用のチャンネルは存在しないので、ＵＴＲＡＮが情報Ｓ１を傍聴しＵＥ１の同期ズレ情報を推定することができるとしても、ＵＴＲＡＮは通常の通信モードにおけるトラフィックバーストを使用することによりＵＥ１の送信タイミングを調整することはできない。これは、Ｐ２Ｐモードで動作しているＵＥ１がＵＴＲＡＮとのアップリンク同期を喪失し得ることを意味する（通常のモードで動作しているＵＥ３は通常のモードでＵＴＲＡＮとのアップリンク同期を維持することができる）。即ち、Ｉ１及びＳ２はＵＴＲＡＮに非同期的に到達しそうであり、これはアップリンク同期を潜在的に悪化させ、かくしてシステム性能を劣化させるであろう。
【００１２】
同様に、ＵＥ１及びＵＥ３が同一の割り当てタイムスロットにおいて信号を送信する場合、ＵＥ２はＵＥ３からＵＴＲＡＮに伝送される信号Ｓ２を傍聴することができ（ＵＥ２にとり、信号Ｓ２は干渉Ｉ２と見なされる）、該干渉信号Ｉ２はＵＥ２の信号Ｓ１の受信に対して影響を生じるので、当該Ｐ２Ｐ通信の品質を潜在的に悪化させ得る。
【００１３】
２．Ｐ２Ｐリンクと通常のリンクとの間のダウンリンクタイムスロットに関連する干渉
図４は、Ｐ２Ｐ可能型ＴＤ−ＳＣＤＭＡシステムにおけるＰ２Ｐリンクと通常のリンクとの間の、該Ｐ２Ｐリンクがダウンリンクタイムスロットに関連する場合の干渉を図示している。ここで、ＵＥ１及びＵＥ２はＰ２Ｐモードで動作し、ＵＥ３は通常のモードで動作し、ＵＥ１のＲｘタイムスロットがＵＥ３のダウンリンクタイムスロットに関連付けられている（即ち、ＵＥ１及びＵＥ３が、ＵＥ２及びＵＴＲＡＮから各々信号を受信するために同一のダウンリンクタイムスロットに割り当てられている）と仮定する。Ｓ３はＵＥ２からＵＥ１へのダイレクトリンク（逆方向リンクとする）を介してのＰ２Ｐリンク情報であり、Ｓ４はＵＴＲＡＮからＵＥ３へのダウンリンクを介してのダウンリンク情報であり、更に、Ｓ３及びＳ４は同一のダウンリンクタイムスロットにではあるが、異なる拡散コードで関連付けられる。
【００１４】
図４において、ＵＴＲＡＮからＵＥ３へ送信されるダウンリンク情報Ｓ４は、信号を受信するために異なる拡散コードを使用するがＵＥ３と同一のダウンリンクタイムスロットを共用する他のＵＥに対して干渉を生じ得る。このような干渉は多重アクセス干渉（ＭＡＩ）と呼ばれる。
【００１５】
図４を参照すると、ＵＥ１及びＵＥ３が同一の割り当てダウンリンクタイムスロットにおいて信号を受信する場合、ＵＥ１はＵＴＲＡＮからＵＥ３へダウンリンクを介して伝送される情報Ｓ４を傍聴することができる（ＵＥ１にとり、Ｓ４は干渉信号Ｉ４と見なされる）。そして、一般的にＵＴＲＡＮからの信号の送信パワーは相対的に強いので、干渉信号Ｉ４はダイレクト通信品質を重大に悪化させそうである。
【００１６】
同様に、ＵＥ１及びＵＥ３が同一の割り当てダウンリンクタイムスロットにおいて信号を受信する場合、ＵＥ３もＵＥ２からＵＥ１へ伝送される情報Ｓ３を傍聴することができる（ＵＥ３にとって、Ｓ３は干渉信号Ｉ３と考えることができ、ＵＥ２はダウンリンクタイムスロットにおける送信情報の擬似ＵＴＲＡＮととることができる）。そして、該干渉信号Ｉ３は、ＵＥ２の近くのＵＥ３及び信号を受信するためにＵＥ３と同一のタイムスロットにおける他のＵＥの通信品質を悪化させるであろう。
【００１７】
３．Ｐ２Ｐダイレクトリンク対間の干渉
図５は、Ｐ２Ｐ可能型ＴＤ−ＳＣＤＭＡシステムにおける２つのＰ２Ｐダイレクトリンク対の間の干渉を図示し、ここで、上記２つのＰ２Ｐリンク対の一方におけるＵＥが他方のＰ２Ｐリンク対のＵＥに対して信号を送信する。尚、ＵＥ１及びＵＥ２は一方のＰ２Ｐリンク対で動作し、ＵＥ３及びＵＥ４は他方のＰ２Ｐリンク対で動作すると仮定する。
【００１８】
Ｐ２Ｐリンク対は対称であるので、関連するタイムスロットでは、ＵＥ１からＵＥ２への信号Ｓ５又はＳ６はＵＥ３から信号を受信するＵＥ４に対し干渉Ｉ５又はＩ６となる。明らかに、これら干渉もダイレクト通信品質を大きく悪化させ得る。
【００１９】
上述したように、Ｐ２Ｐリンクが従来のＴＤ−ＳＣＤＭＡシステムに導入された後には、６つの可能性のある干渉信号Ｉ１、Ｉ２、Ｉ３、Ｉ４、Ｉ５及びＩ６が存在する。ＵＴＲＡＮが関わるかに依存して、上記６つの干渉信号は２つのタイプに分けることができる。第１のタイプはＩ２、Ｉ３、Ｉ５及びＩ６のようなＵＥ間の干渉を含み、第２のタイプはＩ１及びＩ４のようなＵＴＲＡＮが関わる干渉を含む。
【００２０】
Ｐ２Ｐ可能型ＴＤ−ＳＣＤＭＡ通信システムの通信品質を保証するためには、上記６つの干渉を打ち消す効果的な方法を研究する必要がある（これは、既存の通信システムの物理レイヤ構造を変更することなく達成するのが良い）。上記６つの干渉信号のうち、第１のタイプはＰ２Ｐによりサポートされる無線範囲を効率的に制限し、知的無線資源制御方法を採用することにより低減又は打ち消すことができる一方、干渉信号Ｉ１は、２００３年３月７日にコーニンクレッカ  フィリップス  エレクトロニクス  エヌ  ヴィにより出願された“無線通信ネットワークにおけるＰ２Ｐ通信のアップリンク同期維持のための方法及び装置（A Method and Apparatus for Uplink Synchronization Maintenance with P2P Communication in Wireless Communication Networks）”なる名称の特許出願第03119894.5号（出願人整理番号：CN030004）に記載されたように打ち消すことができ、該出願の開示内容は参照により本明細書に組み込まれるものとする。第２のタイプの干渉信号Ｉ４に関しては、未だ有効な解決策はない。
【００２１】
前述した干渉解析から、干渉信号Ｉ４は、ＵＴＲＡＮが信号をＵＥ３に、ＵＥ１へのダウンリンクを介してＵＥ３と同一のダウンリンクタイムスロットにおいて送信することにより生じることが分かる。通常、ＵＴＲＡＮの信号送信パワーは同一セル内の同一のダウンリンクタイムスロットを共用する全てのＵＥが、送信された信号を傍受することができるほど相対的に強く、更に、該信号は多くの他のＵＥの冗長情報を含む混合されたものであり、従って、Ｉ４は無視することができない。ＵＥ１において、ＵＥ１はダイレクト通信品質を保証すべく、当該干渉信号を打ち消すためにＭＵＤ（マルチユーザ検出）又はＪＤ（ジョイント検出：joint detection）を採用しなければならない。
【発明の開示】
【発明が解決しようとする課題】
【００２２】
本発明の目的は、ＴＤＤ ＣＤＭＡ通信システムにおいてＰ２Ｐ通信を、ダイレクト通信の間においてＵＥに対し該ＵＥと同一のダウンリンクタイムスロットにおいて送信される通常の通信からのダウンリンク信号により発生される干渉を低減するようにサポートする方法及び装置を提供することにある。
【課題を解決するための手段】
【００２３】
上記目的を達成するため、本発明によるＴＤＤ ＣＤＭＡ通信システムにおいてＰ２Ｐ通信を実行するようにＵＥをサポートする方法は、ネットワークシステムによりダウンリンク制御チャンネルを介して伝送される信号を受信するステップと、該受信された信号に基づいてタイムスロット割当情報を獲得するステップと、ダウンリンク制御チャンネルを介して伝送される信号に基づいて、当該ＵＥにより使用されるダウンリンクと関連付けられた特定のダウンリンクタイムスロットに割り当てられた他の活動ＵＥの拡散コード割当情報を獲得するステップと、前記獲得されたタイムスロット割当情報及び拡散コード割当情報に基づいて、Ｐ２Ｐ通信の間において通常の通信におけるダウンリンク信号により発生される当該ＵＥに対する干渉を低減するステップとを有する。
【００２４】
また、本発明によるＴＤＤ ＣＤＭＡ通信システムにおいてネットワークシステムにより実行される２つのＵＥの間のＰ２Ｐ通信をサポートする方法は、前記２つのＵＥにダウンリンク制御チャンネルを介してタイムスロット割当情報を送信するステップと、前記タイムスロット割当情報における各ダウンリンクタイムスロットに対応する拡散コード割当情報を発生するステップと、これら２つのＵＥに前記拡散コード割当情報を各々送信して、前記２つのＵＥの各々のＰ２Ｐ通信信号をネットワークシステムからの信号と同期させるステップとを有する。
【発明を実施するための最良の形態】
【００２５】
前述したＰ２Ｐ可能型ＴＤ−ＳＣＤＭＡ通信システムにおける干渉信号の解析に従い、本発明は、Ｐ２Ｐ通信におけるＲｘＵＥに対する通常のダウンリンクからの干渉信号の問題の対処に主に焦点を合わせる。
【００２６】
事実、ＴＤ−ＳＣＤＭＡ通信システムのＵＴＲＡＮには、進んだ受信機、即ちIEEE Commun. Mag.,Oct.1996, 頁124-136にS. Moshaviにより書かれた“Multi-user Detection for DS-CDMA Communication,”なる題名の記事及びIEEE Trans. Vehicular Tech.,Vol.45, No.2, May 1996, 頁276-287にA. Kelein, G. K. Kalehにより書かれた“Zero forcing and minimum mean-square-error equalization for multiuser detection in code division multiple access channels”なる題名の記事に詳細に開示されているように、ＭＡＩ干渉を打ち消すためにＭＵＤ又はＪＤ方法を使用する受信機が広く使用されている。これら文献の開示内容は、参照により本明細書に組み込まれるものとする。しかしながら、ＵＥの受信機においてＭＵＤ又はＪＤのような干渉打ち消し方法を適用するには、事前に２つの条件が満足される必要がある：
１．当該ＵＥと同一のタイムスロットに割り当てられた全ての活動ＵＥの拡散コード情報を獲得する；
２．ダイレクトリンクから信号を受信する場合、ダイレクトモードのＵＥはＵＴＲＡＮからの関連するダウンリンク信号との同期を維持しなければならない（当該受信機を実施化する複雑さは、信号同期によってのみ効果的に単純化することができる）。
【００２７】
上記２つの条件を以下に各々説明する。
【００２８】
１．拡散コード割当情報を如何にして得るか
例としてＴＤ−ＳＣＤＭＡ通信システムにおいては、全ての活動ＵＥにより使用される拡散コードは基地局サブシステム、ＵＴＲＡＮにより制御される。通信の間において、ＲＦ信号はフレームの形で情報を伝達する。各ＲＦフレームは２つのサブフレームに分割され、各サブフレームは７つのタイムスロットを有している。同じタイムスロットに割り当てられた各ＵＥは、基地局サブシステムにより割り当てられた異なる拡散コードを使用して信号を送信し又は受信する。ＢＣＣＨ（ブロードキャスト制御チャンネル）のようなダウンリンク制御チャンネルは、各無線フレーム又はサブフレーム内で固定の位置を有し、ＵＥは通常モード又はＰ２Ｐモードのどちらで動作していてもダウンリンク制御チャンネルから情報を受信することができる。従って、当該ＵＥは同一のタイムスロットを共用している全てのＵＥの拡散コード割当情報を、ＵＴＲＡＮからダウンリンク制御チャンネルを介して伝送される制御情報により得ることができる。
【００２９】
この場合、拡散コード割当情報は２つの部分、即ち(i)各フレーム又はサブフレームにおける、各タイムスロットがアップリンク又はダウンリンクで使用されるべきかに関してのタイムスロット割当情報、及び(ii)割り当てられた各ダウンリンクタイムスロットに関連付けられた拡散コード割当情報、を含む。
【００３０】
本発明の実施例においては、上記タイムスロット割当情報及び拡散コード割当情報は、関連する情報を、特にはマッピングを介して対応するタイムスロット割当マップ及び拡散コード割当マップに各々記憶する。
【００３１】
（１）タイムスロット割当情報について
例として挙げられるＴＤ−ＳＣＤＭＡ通信システムにおいては、各サブフレームはＴＳ０〜ＴＳ６と呼ぶ７個のタイムスロットを有するので、サブフレームにおける７個のタイムスロットをタイムスロット割当マップにマッピングするために、８ビットを持つオクテット（octet）を使用することができる。
【００３２】
この場合、１つのタイムスロットは当該オクテットにおける１つのビットに対応する。図６が示すように、ＴＳ０〜ＴＳ６は当該オクテットにおけるビット６〜ビット０に各々対応する一方、ビット７は予備となっている。ビット６〜ビット０における各ビットに対しては、当該ビットが１である場合、対応するタイムスロットはダウンリンクタイムスロットとして使用されるべきであり、０である場合はアップリンクとして使用されるべきであると仮定する。ＴＤ−ＳＣＤＭＡシステムにおいては、ＴＳ０は常にダウンリンクとして割り当てられ、ＴＳ１はアップリンクとして割り当てられるので、ビット６＝１及びビット５＝０である。
【００３３】
（２）割り当てられた各ダウンリンクタイムスロットに関連付けられる拡散コード割当情報について
ＲＦフレーム又はサブフレームにおけるタイムスロットが割り当てられた後、ＵＴＲＡＮは、それに応じて、関連する各ダウンリンクタイムスロットに関連付けされる拡散コード割当情報をサブフレームに含まれるダウンリンクタイムスロットに従って発生することができる。下記においても、ＴＤ−ＳＣＤＭＡが例とされる。
【００３４】
この通信システムにおいては、ダウンリンクタイムスロットは、異なるＵＥが又は１つのＵＥにおける異なるコードが使用するために、合計で１６までの拡散コードを有することができる。従って、ダウンリンクタイムスロットにおける各拡散コードがどの様に使用されるかを表すために１６ビットが必要となる。即ち、拡散コード割当情報を表すためには２つのオクテットが必要となる。上述した説明から、各サブフレームに含まれる７つのタイムスロットにおいてＴＳ１は常にアップリンクとして使用されるので、各サブフレームにおいては最大で６個のタイムスロットがダウンリンクとして使用することができ、従って斯かる６つのタイムスロットの拡散コードがどの様に使用されるかを表すために合計で１２個のオクテットが必要となる。
【００３５】
以下の実施例は、ダウンリンクタイムスロットに含まれる拡散コード割当情報を説明するものである。図６に示すタイムスロット割当マップにおいてビット４＝０及びビット１＝０、即ちＴＳ２及びＴＳ５がダウンリンクタイムスロットとして使用され、図７に対応する拡散コード割当マップに４つのオクテットを含める必要があると仮定する。この場合、最初の２つのオクテットはＴＳ２における各拡散コードの割当情報に対応し、２番目の２つのオクテットはＴＳ５におけるものに対応する。明るい背景色の部分が最初の２つのオクテットを示し、これらにおいて、ビット１５〜ビット０は最大で１６のＵＥ又はコードにより使用されるべきＴＳ２における拡散コードCode１５〜Code０に関する情報に各々対応し、より深い背景色の部分は２番目の２つのオクテットを示し、これらにおいて、ビット１５〜ビット０は最大で１６のＵＥ又はコードにより使用されるべきＴＳ５における拡散コードCode１５〜Code０に関する情報に各々対応する。各拡散コードに対応する上記２つのグループにおける４つのオクテットの各ビットに対して、当該拡散コードに対応するビットが１である場合、該ビットは当該拡散コードが対応するタイムスロットにおける或るＵＥにより使用されることを表し、当該拡散コードに対応するビットが０である場合、該ビットは当該拡散コードが対応するタイムスロットにおける如何なるＵＥによっても未だ割り当てられていないことを表すと、定義することができる。例えば、最初のグループの２つのオクテットのビット８及びビット０が１である一方、他のビットが全て０である場合、これは、ビット８及びビット０に対応する拡散コードのみが該最初のグループに対応するＴＳ２において占有され、他の拡散コードは如何なるＵＥにも未だ割り当てられていないことを表す。
【００３６】
上述したように、サブフレームにおける各タイムスロットの割当情報及びサブフレームにおける各ダウンリンクタイムスロットに含まれる各拡散コードの割当情報を、タイムスロット割当マップ及び拡散コード割当マップにマッピングすることにより、ＵＴＲＡＮは斯かるタイムスロット割当マップ及び拡散コード割当マップに含まれる情報をダウンリンク制御チャンネルを介して各ＵＥに送信することができるので、斯かるＵＥはダウンリンクタイムスロットに関連付けられたタイムスロット割当情報及び拡散コード割当情報を得ることができる。
【００３７】
勿論、必要なら、ＵＥは同様の方法でアップリンクタイムスロットに関連付けられたタイムスロット割当情報及び拡散コード割当情報を得ることもできる。
【００３８】
２．ダイレクトモードのＵＥがダイレクトリンクから信号を受信している場合におけるＵＴＲＡＮからの関連するダウンリンク信号との同期の維持
従来のＴＤ−ＳＣＤＭＡシステムにおいては、ＵＴＲＡＮにより送信されるダウンリンク混合信号は、マルチパス遅延効果が無視される場合は、ＵＥに同期して到達しなければならない。しかしながら、Ｐ２Ｐ可能型ＴＤ−ＳＣＤＭＡシステムでは、Ｐ２ＰのＵＥからの有用な信号Ｓ３の伝送経路と、ＵＴＲＡＮからの干渉信号Ｉ４の伝送経路との間には大きな差が存在するので（図４参照）、これら信号の到達時間は相当に相違し得る（即ち、ダイレクトモードのＵＥ１がダイレクトリンクを介して信号Ｓ３を受信している場合、ＵＴＲＡＮからのダウンリンク信号Ｉ４との同期を維持することは保証され得ない）。この場合、Ｓ３とＩ４とはＵＥ１に同時には到達し得ないので、ＵＥ１がＵＴＲＡＮによりダウンリンク制御チャンネルを介して送信されるタイムスロット割当情報及び拡散コード割当情報を得ることができたとしても、斯かる時間非同期のために、チャンネル推定又はＪＤ（ジョイント検出）を実施化する複雑さは大幅に増加されるであろう（もっとも、ＵＥ１において干渉信号Ｉ４を打ち消すために従来のＪＤ方法は依然として採用することはできる）。
【００３９】
ＵＥ１における受信機の動作を大幅に単純化すると共にダウンリンク干渉信号Ｉ４を効果的に打ち消すためには、ＲｘＵＥ１における干渉信号Ｉ４とダイレクトリンク信号Ｓ３との間の同期を如何にして果たすかが、Ｐ２Ｐ通信品質を保証するための重要なステップとして生じる。
【００４０】
図４に示すように、有用な信号Ｓ３と干渉信号Ｉ４とがＵＥ１に同期して到達し得ない場合、これら信号がＵＥ１に同期して到達するには２つの方法が存在する。第１のものは、ＵＴＲＡＮが信号Ｉ４を、該ＵＴＲＡＮにより送信された信号Ｉ４とＵＥ２により送信された信号Ｓ３とがＵＥ１に同期して到達し得るように信号Ｉ４を送信するようＴＡを調整することである。第２のものは、ＵＥ２が信号Ｓ３を、該ＵＥ２により送信された信号Ｓ３とＵＴＲＡＮにより送信された信号Ｉ４とがＵＥ１に同期して到達し得るように送信するようＴＡを調整することである。この場合、Ｉ４及びＳ３がＵＥ１に同期して到達するようにＵＴＲＡＮの送信ＴＡを調整することによって上記第１の方法を実現することは不可能である。何故なら、通常は、通信過程の間に同一のダウンリンクタイムスロットを使用する幾つかのＰ２Ｐリンク対が存在し、これが、ＵＴＲＡＮが信号を送信する共通の送信ＴＡを調整することのみにより、ダウンリンク干渉信号Ｉ４がＰ２Ｐ通信中のＵＥにより受信される信号（例えばＳ３）と同期されるのを保証することができないからである。従って、異なるダイレクトリンクから信号を受信する場合、ダイレクトモードの各ＵＥがＵＴＲＡＮからの関連されたダウンリンク信号との同期を維持することができることを保証するためには、ＴＡ調整は有用な信号Ｓ３を送信するためにＵＥ２においてなされなければならない。
【００４１】
上記同期手順を図８に関連して説明する前に、先に２つの問題を明確にする必要がある。
【００４２】
（ｉ）通常通信モードにおいてＵＴＲＡＮとの同期を確立及び維持する
セルサーチフェーズ（sell search phase）の間において、各ＵＥは先ずＵＴＲＡＮとのダウンリンク同期を通常の方法で確立し、ＵＴＲＡＮとのダウンリンク同期を、サブフレームにおけるパイロットチャンネルを追跡すると共に検出されたパイロットチャンネルを自身のサブフレームにおける時間基準としてとることにより維持する。
（ii）Ｐ２Ｐ通信モードにおいて関連するダウンリンクタイムスロットとの同期を維持する
ＵＥ１とＵＥ２とがＰ２Ｐダイレクトモードにある場合、これら間には専用チャンネルが存在し、該専用チャンネルのトラフィックバースト構造は通常のＴＤ−ＳＣＤＭＡ通信システムにおけるものと同一である。このことは、該Ｐ２Ｐ専用チャンネルにおける順方向リンク及び逆方向リンクのトラフィックバーストにも、出力制御情報及び同期ズレ情報が含まれていることを意味する。通常のＴＤ−ＳＣＤＭＡ通信システムにおいては、トラフィックバーストに含まれる同期ズレ情報はＵＴＲＡＮにおいてアップリンク同期を維持するために使用することができ、同様にして、ダイレクトリンクのトラフィックバーストに含まれる同期ズレ情報も、Ｐ２Ｐ通信においてダイレクトリンク信号を受信する場合に当該Ｐ２ＰのＵＥにより関連する通常のダウンリンクとの同期を維持するために使用することができる。
【００４３】
上記明確化から、各ＵＥはＵＴＲＡＮとのダウンリンク同期を通信確立処理（セルサーチフェーズ）の初期に通常の方法で各々確立し、従って２つのＵＥは、Ｐ２Ｐ通信を確立する際、ダイレクトリンク信号とダウンリンク信号との間の同期を決定するために共通の時間ベンチマークを有することができることが分かる。ところで、Ｐ２Ｐ専用チャンネルのトラフィックバーストは通常のモードにおけるのと同じ同期ズレ情報を含んでいるので、当該ＵＥは、ダイレクトリンク信号とダウンリンク信号との間の同期を保証するために、Ｐ２Ｐ確立及び通信手順の間において該同期ズレ情報を用いることにより自身の信号送信ＴＡを設定及び調整することができる。
【００４４】
以下では、ＲｘＵＥにおけるダイレクトリンク信号とダウンリンク信号との間の同期手順を図８及び図４に関連して説明するが、この場合において、ＵＥ１に対し有用信号Ｓ３及び干渉信号Ｉ４は同じダウンリンクタイムスロットを共用する。
【００４５】
先ず、ＵＴＲＡＮを共通ベンチマークとすると、各ＵＥが信号を受信する受信時刻とＵＴＲＡＮにおける共通ベンチマークとの間の時間関係は図８に示される。Ｔ０はＵＴＲＡＮでの関連するダウンリンクタイムスロットにおけるダウンリンク送信時刻ベンチマークであり、Ｔ１及びＴ２は、各々、ＵＥ１及びＵＥ２における関連する受信時点である。ＵＥ１及びＵＥ２は、前述したようにＵＴＲＡＮからのパイロットチャンネルを見付けると共に追跡することによりＴ１及びＴ２を識別することができる。期間ＴUTRAN-UE2（Ｔ２−Ｔ０に等しい）及びＴUTRAN-UE1（Ｔ１−Ｔ０に等しい）は、各々、ＵＴＲＡＮからＵＥ１及びＵＥ２までの信号伝送時間である。ＴUE2-UE1（Ｔ21−Ｔ２に等しい）は、ＵＥ２がＴ２において信号をＵＥ１に送信し、該信号がＴ21においてＵＥ１に到達するとした場合の、ＵＥ２からＵＥ１までの信号伝送時間であり、ここで、有用信号Ｓ３と干渉信号Ｉ４とがＵＥ１に同時に到達することができることを保証するためにＴ21はＴ１と重なり合わなければならない。
【００４６】
この場合、ＵＥ１はＵＥ２により送信される各ミッドアンブル（midamble）のチャンネルインパルス応答を推定することによりＴＡを推定し、該推定されたＴＡをＵＥ１からＵＥ２へのトラフィックバーストに同期ズレ情報として含める。トラフィックバーストはＴＡを推定するために使用されるべきミッドアンブルを含んでいるので、ＵＥ１及びＵＥ２は、これら２つのＵＥが両方とも移動していても何時でも信号送信ＴＡを推定及び調整することができる。
【００４７】
ダイレクトリンクに対処する上述した通常のダウンリンク同期手順は下記のように要約することができる：
（１）ＵＥ１及びＵＥ２がＵＴＲＡＮとのダウンリンク同期を、各々、確立及び維持
ＵＥ１及びＵＥ２は、セルサーチの間にダウンリンク同期を確立し、パイロットチャンネルを追跡することによりダウンリンク同期を維持する（ステップ１）。
（２）ＵＥ２が自身の送信時刻を決定
ＵＥ２は、ダイレクトリンク確立手順の間において、時刻Ｔ２を関連するダウンリンクタイムスロットにおいてＵＥ１へ信号を送信するための自身の送信時刻として設定する（ステップ２）。
（３）ＵＥ１がダイレクトリンク信号とダウンリンク信号との間の時間差を測定
ダイレクトリンク確立手順の間において、ＵＥ２によりＴ２において送信されたトラフィックバーストを受信する場合、ＵＥ１は該トラフィックバーストに含まれるミッドアンブル情報に従ってＴUTRAN-UE2＋ＴUE2-UE1−ＴUTRAN-UE1（Ｔ21−Ｔ１）なる時間差を測定し、該測定された結果をＵＥ２に帰還情報として送信する（ステップ３）。
（４）ＵＥ２が自身の送信ＴＡを設定
ＵＥ２はＵＥ１からの上記帰還情報に従って自身の送信ＴＡを設定し、このＴＡに従って、信号を送信するための自身の時刻を調整する（ステップ４）。
（５）ＵＥ１が同期ズレ情報を推定し、ＵＥ２に送信
ＵＥ１は、ＵＥ２からの各ミッドアンブルのチャンネルインパルス応答を評価することにより同期ズレ情報を推定し、該同期ズレ情報をＵＥ１からＵＥ２に送信されるべきトラフィックバーストに設定する（ステップ５）。
（６）ＵＥ２が送信ＴＡを調整
ＵＥ２は、ＵＥ１からのトラフィックバーストに含まれる同期ズレ情報に従って自身の送信ＴＡを調整する。
（７）ステップ５及びステップ６を繰り返す
Ｐ２Ｐ通信が終了されたかを判断する（ステップ７）。ダイレクト通信が未だ終了されていないなら、当該ダイレクトリンクがダウンリンクタイムスロットと同じタイムスロットを共用している限り、ダイレクトリンク信号Ｓ３が、関連するダウンリンク信号Ｉ４と同期されたままとなるように上記ステップ５及びステップ６は連続的に反復される。
【００４８】
上述したステップを介して、ＵＥ２からの有用な信号Ｓ３及びＵＴＲＡＮからの干渉信号Ｉ４はＵＥ１に同時に到達することができ、かくして、ダウンリンク同期及び獲得される拡散コード割当情報により、ＵＥ１がダウンリンク干渉信号Ｉ４を打ち消して、Ｐ２Ｐ可能型ＴＤＤ
ＣＤＭＡシステムの性能を保証するためにＭＵＤ又はＪＤアルゴリズムを使用することができることを保証する。
【００４９】
勿論、ダイレクト通信モードの２つのＵＥが互いに非常に接近している場合、即ち受信時点Ｔ１及びＴ２が略等しい場合、ダイレクトリンク信号Ｓ３及びダウンリンク信号Ｉ４がＵＥ１に到達する間の時間差は略無視することができる。この場合は、上述した同期手順は省略することができ、拡散コード割当情報のみが必要となる。ＵＥ１は、干渉信号Ｉ４に起因する悪影響を、ＪＤを介して打ち消すことができる。
【００５０】
更に、ＵＥ２による送信ＴＡの設定及び調整は、有用な信号Ｓ３及び干渉信号Ｉ４がＵＥ１に同時に到達することのみは保証することができるが、図４における有用な信号Ｓ４及び干渉信号Ｉ３がＵＥ３に同時に到達することは保証することができず、かくして、ＵＥ３の受信機は獲得された拡散コード割当情報によってはＵＥ３において干渉信号Ｉ３により発生される影響は効果的に打ち消す（又はＩ３の影響を、非同期的ＪＤ方法を使用することにより複雑さの増加に基づいて打ち消す）ことはできないことに注意すべきである。幸運にも、実際の通信においては、ＵＥ３が通常の同期的ＪＤ方法を使用することによりＳ４から所望の情報を抽出する場合、その殆どの干渉は受信された混合信号Ｓ４からであり、当該有用な信号Ｓ４に対する干渉信号Ｉ３の影響は、この場合は無視することができる。
【００５１】
本発明により提案されたＴＤ−ＳＣＤＭＡシステムにおけるダウンリンクタイムスロットにおいてＰ２Ｐ通信をサポートする上記方法は、コンピュータソフトウェアで、又はハードウェアで、又はソフトウェアとハードウェアとの組合せで実施化することができる。
【発明の有益な結果】
【００５２】
上述したように、本発明において提供されるＴＤ−ＳＣＤＭＡシステムにおいてＰ２Ｐ通信をサポートする方法及び装置によれば、ダイレクト通信モードのＵＥは、ダウンリンクを介して拡散コード割当情報を獲得することができ、かくして、該ＵＥは通常の通信における同一のタイムスロットで伝送されるダウンリンク信号により発生される干渉を、同じダウンリンクタイムスロットに割り当てられた他のＵＥにより使用される拡散コード割当情報を利用することにより、ＭＵＤ又はＪＤ等の方法により効果的に打ち消すことができる。
【００５３】
更に、本発明において提供されるＴＤ−ＳＣＤＭＡシステムにおいてＰ２Ｐ通信をサポートする方法及び装置によれば、関連するタイムスロットにおけるダイレクトリンク信号及びダウンリンク信号を同期されたままにするために幾つかのステップが採用され、これが、拡散コード割当情報によりダウンリンク信号干渉を打ち消すための当該ＵＥの動作を大幅に簡素化すると共に、該ＵＥの受信機のハードウェア設定を簡略化する。
【００５４】
また、本発明において提供されるＴＤ−ＳＣＤＭＡシステムにおいてＰ２Ｐ通信をサポートする方法及び装置はＴＤ−ＳＣＤＭＡの実施例に関連して図示及び説明したが、当業者であれば、当該通信方法及び装置は、これらに限定されるものではなく、他のＴＤＤ
ＣＤＭＡシステムにも適していると理解されるべきである。
【００５５】
また、当業者であれば、本発明で開示されたＴＤ−ＳＣＤＭＡシステムにおいてＰ２Ｐ通信をサポートする方法及び装置は、添付請求項に記載された方法の趣旨及び範囲から逸脱することなしに大幅に変更することができるとも理解されるべきである。
【図面の簡単な説明】
【００５６】
【図１】図１は、通常の通信モードにおいて基地局の中継を介して通信する２つのＵＥを示す概略図である。
【図２】図２は、２つのＵＥの間のＰ２Ｐ通信モードを示す概略図である。
【図３】図３は、Ｐ２Ｐ可能型ＴＤ−ＳＣＤＭＡシステムにおける、通信するためにアップリンクタイムスロットを利用しているダイレクトリンクと通常のリンクとの間における干渉信号の発生を示す概略図である。
【図４】図４は、Ｐ２Ｐ可能型ＴＤ−ＳＣＤＭＡシステムにおける、通信するためにダウンリンクタイムスロットを利用しているダイレクトリンクと通常のリンクとの間における干渉信号の発生を示す概略図である。
【図５】図５は、Ｐ２Ｐ可能型ＴＤ−ＳＣＤＭＡシステムにおける２つのダイレクトリンク対の間での干渉信号の発生を示す概略図である。
【図６】図６は、本発明によるタイムスロット割当情報を示す概略図である。
【図７】図７は、本発明による拡散コード割当情報を示す概略図である。
【図８】図８は、通信するためにダウンリンクタイムスロットが利用される場合の、ＵＴＲＡＮからのダウンリンク信号及びＵＥ２からのダウンリンク信号をＵＥ２及びＵＥ１において各々受信する間の時間関係を、ＵＴＲＡＮを時間ベンチマークとして図示する概念図である。
【図９】図９は、本発明においてダイレクトモードでのＲｘＵＥのダウンリンク同期のために実行されるべき方法を示す概略図である。
【図１】
2006523408.tif 000003
【図２】
2006523408.tif 000004
【図３】
2006523408.tif 000005
【図４】
2006523408.tif 000006
【図５】
2006523408.tif 000007
【図６】
2006523408.tif 000008
【図７】
2006523408.tif 000009
【図８】
2006523408.tif 000010
【図９】
2006523408.tif 000011
【国際調査報告】
2006523408.tif 000012
2006523408.tif 000013
2006523408.tif 000014